(57)【要約】【課題】  眼幅を広くしたときのケーシングの剛性を向上する。【解決手段】  双眼鏡１０は、左側観察光学系３３を内蔵した本体ケーシング３１に対して、右側観察光学系３５を内蔵した可動ケーシング３２を離すことで眼幅を調節することができる。左右の観察光学系３３，３５の下には、補強用筺体３８，３９が本体ケーシング３１に固定して配されている。補強用筺体３８，３９は、外壁のうちの一壁に電気基板５６を使用し、内部が中空の直方体となっている。これら補強用筺体３８，３９により、本体ケーシング３１及び可動ケーシング３２との剛性を高める。【選択図】        図７
2005338296.tif 000002
【特許請求の範囲】
【請求項１】
本体ケーシングに対して一対の観察光学系のうちの何れか一方の観察光学系を収納した可動ケーシングを前記観察光学系の光軸に対して直交方向に移動自在に設けた双眼鏡において、
前記観察光学系の上又は下に位置するように、長手方向を光軸方向に沿わした姿勢で直方体をした補強用筺体を本体ケーシングに一体的に設けるとともに、前記補強用筺体の輪郭を構成する６壁のうちの何れかの壁を電気基板で構成したことを特徴とする双眼鏡。
【請求項２】
前記本体ケーシングには、一対の観察光学系で観察する被写体を撮像し、撮像した画像を画像データに変換して出力する撮像手段と、前記画像データをメモリに記録する記録手段と、及び電源回路とが設けられており、前記電気基板は、前記撮像手段の一部を構成する回路、記録手段の一部を構成する回路、及び電源回路の一部を構成する回路のうちの何れかの回路を設けた基板であることを特徴とする請求項１記載の双眼鏡。
【発明の詳細な説明】
【技術分野】
【０００１】
本発明は、左右の観察光学系の光軸を間隔が広がるように相対的に移動することで眼幅調節を行う双眼鏡に関するものである。
【背景技術】
【０００２】
従来、双眼鏡は、左右の観察光学系の光軸の間隔を観察者の眼の幅に合わすために、前記光軸の間隔が可変することができる。この機構としては、左右の観察光学系の間に設けた回転軸を中心として左右の観察光学系を回転させる揺動式と、左右の観察光学系の光軸を水平方向に相対的に平行移動させるスライド式とのタイプがある。揺動式のタイプでは、観察光学系を構成する対物レンズや接眼レンズとして断面円形のレンズしか用いることができない。このため、左右の観察光学系の間隔を狭くした状態では、スライド式の方が双眼鏡の外形輪郭をコンパクトにすることができる。しかも、スライド式の方では、丸レンズの上下をカットした小判形状のレンズを使用することができるため、高さ方向で薄くでき、また、電気部品や電気基板などを配置するスペースを多く取ることができる。
【０００３】
スライド式の機構を用いた双眼鏡には、左右の観察光学系の間隔を狭くした状態が広くした状態と比べて双眼鏡の体積が変化しない構成の双眼鏡（特許文献１に記載の双眼鏡）と、体積が小さくなる構成の双眼鏡（特許文献２及び特許文献３に記載の双眼鏡）とがある。
【０００４】
前者のタイプでは、ボディケースの中で左右の観察光学系を相対的に水平方向（観察光学系に直交する方向）に移動するため、ボディケースの中に観察光学系の移動スペースが作られている。また、後者のタイプのうちの特許文献２に記載の双眼鏡では、一方の観察光学系を収納する本体ケーシングに対して他方の観察光学系を収納する移動ケーシングが水平方向に引き出されるように構成されている。本体ケーシングには、移動ケーシングが引き出された部分に空洞が生じる。さらに、特許文献３に記載の双眼鏡では、中央の支持フレームに対して左右に配した左右フレームにそれぞれ左右の観察光学系が収納されており、左右フレームを互いが離れるように引き出して眼幅調節を行うタイプであり、このタイプでも支持フレームから左右フレームが引き出されるため、支持フレームの左右に空洞が生じる。
【０００５】
このように、どのタイプでも、眼幅いっぱいに広げると、固定側となるケーシング内に空洞が生じ、ケーシングの剛性が低下する。また、引き出した方の移動側のケーシング自体も固定側のケーシングから引き出されるため、固定側のケーシングとの連結部分が少なくなり、よって剛性が低下する。観察光学系は、高倍率となっているため、至近被写体から無限大までの被写体にピントを調節するためのレンズの移動域が長くとられている。このため、ケーシングの剛性が低いと、双方の観察光学系の光軸の平行度が狂ったり、変化したりして観察が正確に行えない。
【０００６】
そこで、特許文献１に記載の双眼鏡では、外観を構成する外装カバー部材と、観察光学系を水平方向に移動自在に支持するボディ部とを、光軸平行度などに影響を与えないように一体的に結合している。
【０００７】
また、特許文献３に記載の双眼鏡では、上・下補強平板を断面横Ｈ状となるように柱で繋いで中央の支持フレームを構成し、この支持スレームの左右に、断面「コ」の字状の枠体に形成した左右フレームを、開放側が支持スレームの上・下補強平板に被さるように引き出し自在に設けた構成としている。
【０００８】
【特許文献１】特開平１０−３０２５号公報
【特許文献２】特開平８−２２０４４６号公報
【特許文献３】特開平１０−１１５７６７号公報
【発明の開示】
【発明が解決しようとする課題】
【０００９】
しかしながら、前述した特許文献１及び３に記載のように、双眼鏡のケーシングの剛性を高めるためには、化粧カバーや支持フレームの内又は外側にボディのカバーや上・下補強板などの平板を重ねる補強を行って全体の剛性を高めている。これでは、板の厚み分だけ高さ方向の厚みが増えるばかりか、補強板を設ける分だけコストがアップする。
【００１０】
また、暗視機能や電子カメラ機能、あるいはオートフォーカス機能を備えた双眼鏡の場合、これら機能を実行するための電気部品やバッテリを内蔵することが必要なってケーシングの強度を向上することが望まれる。というのは、電気部品矢基板を内蔵することで内部重量が増えるため、観察光学系の間隔を広げると、ケーシングが左右に曲がったりねじられたりし易くなり、観察光学系の光軸の平行度がズレ易くなるためである。
【００１１】
本発明は、電気基板などを内蔵しても厚みを薄くでき、しかも、ローコストで剛性の高いケーシングを有する双眼鏡を提供することを目的とする。
【課題を解決するための手段】
【００１２】
前記目的を達成するために、本発明の双眼鏡では、何れか一方の観察光学系の上又は下に位置するように、長手方向を光軸方向に沿わした姿勢で直方体をした補強用筺体を本体ケーシングに一体的に設けるとともに、前記補強用筺体の輪郭を構成する６壁のうちの何れかの壁を電気基板（プリント基板）で構成したものである。本体ケーシングの両側に、各観察光学系を収納した一対の可動ケーシングを設けた構成の双眼鏡では、一対の観察光学系のうちの何れか一方又は両方の上又は下に位置するように、本体ケーシングに補強用筺体を設ける。また、一方の観察光学系を収納した本体ケーシングに対して他方の観察光学系を収納した可動ケーシングを引き出す構造の双眼鏡でも、一対の観察光学系のうちの何れか一方又は両方の上又は下に位置するように、本体ケーシングに補強用筺体を設ける。補強板としては、平板よりも直方体の方が補強強度が高まる。しかも、電気基板を補強用筺体の外壁の一部に使用したから、別に電気基板を設けるためのスペースを必要とせず、よってコンパクト化を図ることができる。
【００１３】
補強用筺体としては、中実の形態でもよいが、材料費がかさむため、中空の形態の方が好適である。中空の形態では、内部に電気部品や電気基板を別に収納することができるため、都合がよい。
【００１４】
双眼鏡には、暗視機能やオートフォーカス機構を備えたもの、また電子カメラの機能を備えたものがある。このような双眼鏡には、電気基板（プリント基板）を内蔵しているため、その電気基板を補強用筺体の一壁として使用することで、補強の向上と電気基板の収納スペースの効率化との両方を一度に達成することができる。なお、電子カメラの機能を備えた双眼鏡の場合には、一対の観察光学系で観察する被写体を撮像し、撮像した画像を画像データに変換して出力する撮像手段と、前記画像データをメモリに記録する記録手段と、及び電源回路とを設け、前記撮像手段、記録手段、及び電源回路のうちの何れかの回路の全部又は一部を構成する回路を搭載した電気基板を補強用筺体の外壁のうちの何れかの壁として使用するのが望ましい。
【発明の効果】
【００１５】
本発明では、観察光学系の上又は下に位置すように、長手方向を光軸方向に沿わした姿勢で直方体をした補強用筺体を本体ケーシングに一体的に設けたから、本体ケーシング及び補強ケーシングとの上又は下面の剛性が向上する。また、従来技術で説明した補強用平板を省略することができるため、軽量化、コストダウン、及び高さ方向の薄型化を図ることができる。さらに、電気基板を使用して補強用筺体の外壁の一部を作ったので、別に電気基板を配置するスペースを必要とせず、よってコンパクト化を図ることができる。
【発明を実施するための最良の形態】
【００１６】
電子カメラ付き双眼鏡１０には、図１に示すように、外カバー１１の前面に、左右の観察光学系を構成する対物レンズ１２，１３が所定の間隔隔ててそれぞれ露呈している。外カバー１１は、手でグリップする左右側面が円弧となった弁当箱形状をしている。一対の対物レンズ１２，１３の間には、撮像光学系を構成している撮像レンズ１４が露呈している。観察光学系及び撮像光学系の光軸は略平行となっている。
【００１７】
外カバー１１の上面には、ピント合わせリング１５、電源ボタン１６、シャッタボタン１７、及び、モード切替ボタン１８などが露呈して設けられている。ピント合わせリング１５は、一対の観察光学系のピントを合わせるときに操作する。モード切替ボタン１８は、撮影を行う撮影モードと、記録画像を再生する再生モードとでモードを切り替えるときに操作する。シャッタボタン１７は、観察光学系で観察する被写体像を撮像光学系で撮像するときに操作する。
【００１８】
外カバー１１の背面には、図２に示すように、前記観察光学系を構成する接眼レンズ２０，２１がそれぞれ露呈している。また、底面には、表示部２３が取り付けられている。表示部２３は、ヒンジ２４を介して起立位置と倒伏位置との間で折り畳み自在となっている。起立位置では、表示部２３の画面（以下、「ＬＣＤモニタ」と称す）２５を接眼レンズ２０，２１の方から覗く姿勢となる。ヒンジ２４は、起立位置のときの表示部２３の上に設けられ、観察光学系の光軸に直交する方向に沿った軸を中心として表示部２３を回転させる。さらに、左側面には、メモリカード着脱用のスロット２６や電池蓋２７が設けられている。倒伏位置では、図３に示すように、ＬＣＤモニタ２５を底面に伏せた姿勢となる。
【００１９】
外カバー１１は、図４に示すように、正面から見て左側に見える本体ケーシング３１と、右側に見える可動ケーシング３２とで構成されている。本体ケーシング３１に対して可動ケーシング３２は、本体ケーシング３１に最も寄った接近位置（図１に示した位置）と、最も離した離間位置との間で水平方向（観察光学系の光軸に直交する方向）に直線的に移動自在となっている。なお、可動ケーシング３２を離間位置から接近位置に移動すると、双眼鏡１０の輪郭外形が小さくなる。
【００２０】
本体ケーシング３１は、図５に示すように、前板４２、左側板４３、及び背板４４とで構成されており、可動ケーシング３２の側を開放した断面略「コ」字状となっている。この本体ケーシング３１には、左側の観察光学系３３、撮像光学系３４、補強用筺体３８などが内部に固定されており、また、外部に表示部２３が露呈して固定されている。
【００２１】
可動ケーシング３２は、前板４８、右側板４９、及び背板５０とで構成されており、本体ケーシング３１の側を開放した断面略「コ」字状となっている。この可動ケーシング３２には、右側の観察光学系３５及び補強用筺体３９が内部に固定されている。
【００２２】
可動ケーシング３２の移動をガイドするガイド機構は、可動ケーシング３２の内部に設けた一対のガイド棒３６，３７と、本体ケーシングの内部で前記ガイド棒３６，３７を水平方向にそれぞれ移動自在に案内する案内部（図示なし）と、離間位置のときにガイド棒３６，３７が案内部から抜けることを防止するストッパ（図示なし）とで構成されている。ストッパも本体ケーシング３１に設けられている。
【００２３】
観察するときには、本体ケーシング３１に対して可動ケーシング３２を接近位置と離間位置との間の任意の位置に引き出して観察光学系３３，３５の間隔を眼幅に応じた間隔に調節する。
【００２４】
左側の前板４２には、左側の観察光学系３３の対物レンズ１２及び撮像光学系３４の撮像レンズ１４がそれぞれ露呈する開口４５，４６が設けられている。また、左側の背板には、左側の観察光学系３３の接眼レンズ２０が露呈する開口４７（図２参照）が設けられている。
【００２５】
また、右側の前板４８には、右側の観察光学系３５の対物レンズ１３が露呈する開口５１が設けられている。また、背板５０には、右側の観察光学系３５の接眼レンズ２１が露呈する開口５２（図２参照）が設けられている。
【００２６】
左右の観察光学系３３，３５は、同じ像倍率となる光学系の構成となっており、各々、対物レンズ１２，１３と接眼レンズ２０，２１との間に正立プリズムを配した構成となっている。観察光学系３３，３５は、これらをベース板４０，４１に一体的に取り付けて断面略矩形状の輪郭形状を光軸３３ａ，３５ａの方向に長く延ばした形態に組み付けて一体的に取り扱えるようにしたユニット部品となっている。このような観察光学系３３，３５は、本体ケーシング３１及び可動ケーシング３２の内部のうちの前面から背面に渡って配されている。
【００２７】
左右の補強用筺体３８，３９は、輪郭が直方体の形状をしており、長手方向を光軸３３ａ，３５ａに沿わせた姿勢で各観察光学系３３，３５の下に配されるように本体ケーシング３１に一体的に固定されている。
【００２８】
図６及び図７に示すように、左側の補強用筺体３８は、正面から見て撮像光学系３４の左側に固定されており、本体ケーシング３１の下面の剛性を高めている。右側の補強用筺体３９は、正面から見て撮像光学系３４の右側に固定されており、本体ケーシング３１の下面の端から可動ケーシング３２に向けて突出している。この補強用筺体３９は、離反位置に移動するときに可動ケーシング３２の下面と観察光学系３５との移動を上・下面でガイドし、且つ、引き出されたときの可動ケーシング３２の下面の剛性を高めている。なお、右側の補強用筺体３９の上面と右側の観察光学系３５の下面とが摺動するため、右側の補強用筺体３９の上面に摩擦の少ないシート等を設けるのが好ましい。
【００２９】
また、一対の観察光学系３３，３５の上には、補強平板３０が本体ケーシング３１に一体的に固定されている。補強平板３０は、本体ケーシング３１の上面の端から可動ケーシング３２に向けて突出しており、本体ケーシング３１の上面の剛性を高めるとともに、離反位置に移動するときに可動ケーシング３２に向けて突出した部分で可動ケーシング３２の上面の移動をガイドし、且つ引き出されたときの可動ケーシング３２の上面の剛性を高める。
【００３０】
補強用筺体３８は、図８及び図９に示すように、フレーム基部５４、仕切板５５、及び、電気基板５６とで構成されている。フレーム基部５４は、長手方向（光軸３３ａ，３４ａに沿った方向）の両端５４ａ，５４ｂをＬ字状に折り曲げた形状となっている。電気基板５６は、長板形状となっており、フレーム基部５４の両端５４ａ，５４ｂとの間に取り付けられ、内部が空洞となるようにフレーム基部５４とで直方体の輪郭を形成する。仕切板５５は、フレーム基部５４の底面から立設するように取り付けられ、直方体の内部の空間を二つの空間に仕切るとともに、電気基板５６を下から支える。
【００３１】
本実施形態の双眼鏡１０には、電子カメラの機能が搭載されているため、多数の電気回路が内蔵されている。前述した補強用の電気基板５６には、撮像光学系３４で結像した観察像を撮像して画像データを出力する撮像回路、出力した画像データを画像処理する画像処理回路、画像データをメモリに記録する記録回路、電源回路、内部メモリ回路、ＣＣＤセンサの駆動用電子回路、外部に撮像画像を表示するＬＣＤモニタ用の駆動回路等のうちの何れかの回路の一部又は全部が搭載されている。この電気基板５６は、前述した回路を片面５６ａに搭載した片面実装基板となっており、その片面５６ａを直方体の内部に向けた姿勢でフレーム基部５４に取り付けられている。なお、フレーム基部５４及び仕切板５５は、絶縁性の材料で形成するのが望ましい。
【００３２】
また、補強用筺体３８の内部の一方の空間には、電気回路ユニット５７が収納される。電気回路ユニット５７は、該双眼鏡１０の外部からメモリカード８８を電気的に接続するインターフェース部８８ａやメモリ回路などを搭載した電気基板５８と、その電気基板５８を下から支持するＬ字状に絶縁性の材料で形成された支持板５９とで構成されている。この支持板５９の一壁５９ａは、補強用筺体３８の外壁のうちの右壁の一部を構成するようになっている。他方の空間には、該双眼鏡１０の外部から取り出し自在なバッテリ６０が収納されている。この補強用筺体３８には、該筺体３８の外の電気回路との間で電気的信号をやりとりするために、撮像光学系３４に接する右壁に端子６１やコネクタ６２が露呈して設けられている。また、インターフェース部８８ａやバッテリ６０に対峙する補強用筺体３８の左壁にはそれぞれ開口が設けられており、これら開口を通して電池蓋２７やスロット２６からバッテリ６０の交換やメモリカード８８の着脱が行われる。
【００３３】
他方の補強用筺体３９も、直方体の輪郭を構成する６壁のうちの何れかの壁を電気基板で構成し、内部の空間に電気回路を収納した形態となっている。補強用筺体３９にも、該筺体３９の外の電気回路との間で電気的信号をやりとりするために、撮像光学系３４に接する左壁に端子やコネクタが露呈して設けられている。
【００３４】
なお、断面矩形な補強用筺体３８，３９の内部に収納する電気基板としては、基板から立設した電気部品や他のものと接触すると不都合となる電気部品、例えばコンデンサ、抵抗、及びレギュレータなどの電気部品や、熱を放出する電気部品などを実装した電気基板とするのが隔離されるので望ましい。また、補強用筺体３８，３９の外壁の一部に電気基板を設けているので、その面に接触する観察光学系３３，３５との間に絶縁シートを設けるのが好ましい。
【００３５】
このような構成の双眼鏡１０の動作を説明する。図１０に示すように、各観察光学系３３，３５は、物体側から順に配された対物レンズ１２，１３、正立プリズム５３、及び、接眼レンズ２０，２１で構成されている。観察は、本体ケーシング３１に対して可動ケーシング３２を離反位置に移動して目幅調節を行う。
【００３６】
可動ケーシング３２を引き出すと、図７に示すように、本体ケーシング３２の内部に空洞が生じる。このとき、グリップした手により可動ケーシング３２又は本体ケーシング３１に外荷重が作用し、外荷重に抵抗する内力が生じて変形を受ける。この荷重には光軸３５ａの方向に垂直な荷重、あるいは曲げモーメント荷重が含まれる。
【００３７】
従来、本体ケーシングの下面の内側に補強用の平板を設け、この平板で本体ケーシングの下面の剛性を高め、且つその平板を可動ケーシング側に突出し、突出した部分で可動ケーシングとのジョイントを行って、ジョイント部分の剛性を高めるようにしていた。
【００３８】
しかし、本実施形態では、従来使用していた平板を省略し、代わりに補強用筺体３８，３９を設け、補強用筺体３８，３９で本体ケーシング３１の下面の剛性、及び本体ケーシング３１から突出した部分と可動ケーシング３２とのジョイント部分９０の剛性を高めるようにしている。このとき、重要なのが平板及び補強用筺体３８，３９などの補強部材の横断面積である。従来の薄厚の平板よりも補強用筺体３８，３９の方が内部に空洞をもつ直方体となっているので断面係数が大きい。従って、断面係数の大きい補強用筺体３８，３９を用いる方が外荷重を受けたときに生じる応力が弱くなり、歪みが生じ難い。しかも、曲げモーメントやねじりモーメントなどの荷重に対しても強くなる。したがって、離反位置のときにも、光軸３３ａ，３５ａ，３４ａの平行度がずれにくく、観察又は撮影を正しく行うことができる。
【００３９】
また、補強用筺体３８，３９自身、又は内部に重量の重い電気基板５６，５８やバッテリ６０を搭載しているから、一対の観察光学系３３，３５の間隔を離しても双眼鏡１０の重心の位置がそれほど変わらず、よって、重心が移動しないから外カバー１１の左右が下方に曲がったり捻られたりするような不都合が生じることはない。
【００４０】
接眼レンズ２０，２１を覗きながら、ピント合わせリング１５を操作する。ピント合わせリング１５を操作すると、その操作量に応じてメカ機構である連動機構７０を介して各接眼レンズ２０，２１が観察光学系３３，３５の光軸３３ａ，３５ａの方向に移動する。これにより、観察光学系３３，３５のピント合わせが行える。
【００４１】
次に、操作部７１を構成する電源ボタン１６をオンし、表示部２３を起立位置に回転させる。電源ボタン１６のオンに応答してシステムコントローラ７２がＣＣＤ駆動部７３を駆動する。ＣＣＤ駆動部７３は、ＣＣＤセンサ７４を制御して撮像光学系３４で結像される被写体像を光電変換する。変換したアナログ信号は、Ａ／Ｄ変換器７６に送られ、ここでデジタル変換されて画像データが生成される。その画像データは、バスライン７７を介してＡＥ／ＡＦ処理部７８に送られる。
【００４２】
なお、システムコントローラ７２には、ＲＯＭ７９、ＲＡＭ８０が接続されており、また、システムコントローラ７２は、ＡＥ／ＡＦ処理部７８、メディアＩ／Ｆ８１、画像処理部８２、ビデオメモリ８３、及びＬＣＤドライバ８４を制御する。ＲＯＭ７９には、該双眼鏡１０の各種動作を制御するためのプログラムが記憶されており、システムコントローラ７２は、そのプログラムにしたがって各部を制御する。ＲＡＭ８０は、プログラム実行時に必要な各種変数などが一時的に書き込まれるワークメモリとして利用される。
【００４３】
ＡＥ／ＡＦ処理部７８は、画像データに基づいて、被写体輝度に応じたＡＥ信号、及びコントラストに応じたＡＦ信号をそれぞれ生成してこれらをシステムコントローラ７２に送る。システムコントローラ７２は、ＡＥ信号に基づき適正な露光量となるようにＣＣＤ駆動部７３を制御し、また、ＡＦ信号に基づきコントラストが最大となるようにフォーカスレンズ駆動部８５を制御する。撮像光学系３４は、対物側から順に配置された撮像レンズ１４、及びフォーカスレンズ８７とで構成されており、観察光学系３３，３５と同じ倍率となっている。フォーカスレンズ駆動部８５は、ＡＦ信号に基づいてフォーカスレンズ８７を撮影光軸３４ａの方向に移動して撮像光学系３４のピントを観察被写体に合わせる。
【００４４】
また、Ａ／Ｄ変換器７６から送られる画像データは、画像処理部８２に取り込まれ、ここでガンマ補正、ホワイトバランスの調節などが行われた後に、ビデオメモリ８３にいったん書き込まれる。システムコントローラ７２は、ビデオメモリ８３から画像データを読み出して、これをＬＣＤドライバ８４に送るよう制御する。ＬＣＤドライバ８４は、画像データをエンコードして撮像画像をＬＣＤモニタ２５にスルー表示させる。
【００４５】
表示画像又は観察画像を見ながら、シャッタボタン１７を押下する。シャッタボタン１７の操作に応答して画像処理部８２からその時点の画像データがメディアＩ／Ｆ８１を介してメモリカード８８に記録される。記録される画像データは、ＬＣＤモニタ２５に一定時間表示される。このようにして観察しながらシャッタレリーズを行って観察被写体を撮像する。
【００４６】
記録画像を表示するときには、モード切替ボタン１８を操作して再生モードを選択する。再生モードを選択すると、メモリカード８８に記録した画像がＬＣＤモニタ２５に順に表示される。
【００４７】
不使用時には、電源ボタン１６をＯＦＦするとともに、表示部２３を倒伏位置に回転させるとともに、可動ケーシング３２を接近位置に移動する。これにより、外カバー１１の輪郭をコンパクトにすることができるとともに、表示部２３が折り畳まれるのでさらにコンパクトにすることができる。
【００４８】
上記実施形態では、観察光学系３３，３５の下に補強用筺体３８，３９を配しているが、これに限らず、観察光学系３３，３５の上に配して、本体ケーシング３１及び可動ケーシング３２の上面の剛性を高めるようにしてもよいし、観察光学系３３，３５の上・下にそれぞれ補強用筺体を配してもよい。
【００４９】
また、上記実施形態では、電気基板５６を外壁の一壁に使用した補強用筺体３８，３９としているが、これに限らず複数の壁、あるいは全部の外壁を電気基板で構成してもよい。さらに、電子カメラの機能を備えた双眼鏡とし、その機能の一部の回路を備えた電気基板を使用して補強用筺体を作成しているが、これに限らず、観察光学系のピント調節を自動的に調節するオートフォーカス機能を有する双眼鏡とし、その機能の一部の回路を備えた電気基板を使用して補強用筺体を作成してもよい。さらにまた、暗視機能など電気回路を必要とする機能を備えた双眼鏡に本発明を適用することができる。
【図面の簡単な説明】
【００５０】
【図１】撮像機能付き双眼鏡の前面、上面、及び右側面を表す前面側斜視図である。
【図２】図１で説明した双眼鏡の背面、底面、及び左側面を表す背面側斜視図である。
【図３】表示部を折り畳んだ状態を示す背面側斜視図である。
【図４】可動ケーシングを離間位置に引き出した状態を示す正面側斜視図である。
【図５】双眼鏡の内部構造の要部を示す分解斜視図である。
【図６】双眼鏡を示す横断面図である。
【図７】可動ケーシングを離間位置に引き出した状態を示す双眼鏡の横断面図である。
【図８】補強用筺体の外観を示す斜視図である。
【図９】補強用筺体の要部を示す分解斜視図である。
【図１０】双眼鏡の電気的構造の概略を示すブロック図である。
【符号の説明】
【００５１】
１０  双眼鏡
１１  外カバー
３１  本体ケーシング
３２  可動ケーシング
３３，３５  観察光学系
３４  撮像光学系
５４  フレーム基部
５５  仕切板
５６，５８  電気基板
【図１】
2005338296.tif 000003
【図２】
2005338296.tif 000004
【図３】
2005338296.tif 000005
【図４】
2005338296.tif 000006
【図５】
2005338296.tif 000007
【図６】
2005338296.tif 000008
【図７】
2005338296.tif 000009
【図８】
2005338296.tif 000010
【図９】
2005338296.tif 000011
【図１０】
2005338296.tif 000012